(57)【特許請求の範囲】
【請求項１】
同一形状，同一大きさの小容器体用嵌合部2, 2を長板状基部３の後面に等間隔に複数形成した左右方向に長い連結板１と、複数の錠剤収納用小容器体６とからなり、該小容器体を、上下両端面開口の胴部８下部内面に仕切り壁９を横設して、この胴部の仕切り壁横設箇所外面に嵌合部取付け溝10を穿設し、又その仕切り壁９に通気孔12を穿設した主体７と、上記胴部８の下面を閉塞する底板15周縁から筒部16を起立して、該筒部の外面を上記仕切り壁９下方の胴部分に嵌着させた底蓋14と、上記胴部８の上面を開閉可能に閉塞する閉塞具17とで形成し、上記小容器体の各取付け溝10内へ上記嵌合部2, 2をそれぞれ着脱自在に嵌合させたことを特徴とする合成樹脂製錠剤容器の連結体。
【請求項２】
複数の小容器体用嵌合部2, 2を、長板状基部３の後面から小間隙をおいて後方へ板状に突出すると共に、これ等嵌合部の左右方向中間に後方解放の係合溝部４を穿設して形成し、又胴部の仕切り壁９横設箇所外面の前部に嵌合部取付け溝10を穿設し、更に、該取付け溝の後壁面左右方向中間から係合板部11を前方突出して、該係合板部を上記係合溝部４内へ着脱自在に嵌合させた請求項１記載の合成樹脂製錠剤容器の連結体。
【請求項３】
複数の小容器体用嵌合部2, 2を、長板状基部３の後面から小間隙をおいて後方へ板状に突出すると共に、これ等嵌合部の後面左右方向中間から係合板部11を後方突設して形成し、又胴部の仕切り壁９横設箇所外面の前部に嵌合部取付け溝10を穿設し、更に、該取付け溝の後壁面左右方向中間に穿設した透孔の周縁から後面閉塞の係合筒部26を後方突出し、該係合筒部内へ上記係合板部11を着脱自在に嵌合させた請求項１記載の合成樹脂製錠剤容器の連結体。
【請求項４】
胴部の仕切り壁９横設箇所外面に嵌合部取付け溝10を周設し、又長板状基部３の後面に等間隔に複数付設した上面視Ｃ字形の小容器体用嵌合部2, 2後部に、上記取付け溝10の径よりも短く開口部を穿設して嵌合部2, 2を拡開変形可能に形成し、かつこれ等嵌合部を上記取付け溝10内へ着脱自在に嵌合させた請求項１記載の合成樹脂製錠剤容器の連結体。
【請求項５】
小容器体用嵌合部2, 2間の長板状基部３部分に前後方向への破断線５を形成して、嵌合部2, 2を切り離し可能に形成した請求項１，請求項２，請求項３又は請求項４記載の合成樹脂製錠剤容器の連結体。
【発明の詳細な説明】
【０００１】
【発明の属する技術分野】
本発明は、錠剤を小分けにして収容する合成樹脂製錠剤容器の連結体に関する。
【０００２】
【従来の技術】
【発明が解決しようとする課題】
錠剤収納用の容器として、硝子製又は合成樹脂製の容器本体の口頸部外面にキャップを螺合させたものが周知であるが、該従来例では、容器がある程度以上の大きさになると、嵩張って携帯性が悪くなるため、外出先で錠剤を服用する場合に不便となり、又携帯の便を図るため、別途小形容器を用意して錠剤を移し変えることも面倒であった。
【０００３】
本発明は、同一形状, 同一大きさの小容器体用嵌合部を等間隔に複数付設した連結板を形成し、又複数の錠剤収納用小容器体の各胴部に嵌合溝を形成して、それ等嵌合溝内へ嵌合部を着脱自在に嵌合させることで、複数の小容器体を一体的に扱うことができると共に、必要に応じて個別に携帯することできるよう設けた。
【０００４】
【課題を解決するための手段】
第１の手段として、同一形状，同一大きさの小容器体用嵌合部2, 2を長板状基部３の後面に等間隔に複数形成した左右方向に長い連結板１と、複数の錠剤収納用小容器体６とからなり、該小容器体を、上下両端面開口の胴部８下部内面に仕切り壁９を横設して、この胴部の仕切り壁横設箇所外面に嵌合部取付け溝10を穿設し、又その仕切り壁９に通気孔12を穿設した主体７と、上記胴部８の下面を閉塞する底板15周縁から筒部16を起立して、該筒部の外面を上記仕切り壁９下方の胴部分に嵌着させた底蓋14と、上記胴部８の上面を開閉可能に閉塞する閉塞具17とで形成し、上記小容器体の各取付け溝10内へ上記嵌合部2, 2をそれぞれ着脱自在に嵌合させた。
【０００５】
第２の手段として、上記第１の手段を有すると共に、複数の小容器体用嵌合部2, 2を、長板状基部３の後面から小間隙をおいて後方へ板状に突出すると共に、これ等嵌合部の左右方向中間に後方解放の係合溝部４を穿設して形成し、又胴部の仕切り壁９横設箇所外面の前部に嵌合部取付け溝10を穿設し、更に、該取付け溝の後壁面左右方向中間から係合板部11を前方突出して、該係合板部を上記係合溝部４内へ着脱自在に嵌合させた。
【０００６】
第３の手段として、上記第１手段を有すると共に、複数の小容器体用嵌合部2,2 を、長板状基部３の後面から小間隙をおいて後方へ板状に突出すると共に、これ等嵌合部の後面左右方向中間から係合板部11を後方突設して形成し、又胴部の仕切り壁９横設箇所外面の前部に嵌合部取付け溝10を穿設し、更に、該取付け溝の後壁面左右方向中間に穿設した透孔の周縁から後面閉塞の係合筒部26を後方突出し、該係合筒部内へ上記係合板部11を着脱自在に嵌合させた。
【０００７】
第４の手段として、上記第１手段を有すると共に、胴部の仕切り壁９横設箇所外面に嵌合部取付け溝10を周設し、又長板状基部３の後面に等間隔に複数付設した上面視Ｃ字形の小容器体用嵌合部2, 2後部に、上記取付け溝10の径よりも短く開口部を穿設して嵌合部2, 2を拡開変形可能に形成し、かつこれ等嵌合部を上記取付け溝10内へ着脱自在に嵌合させた。
【０００８】
第５の手段として、上記第１，第２，第３又は第４の手段を有すると供に、小容器体用嵌合部2, 2間の長板状基部３部分に前後方向への破断線５を形成して、嵌合部2, 2を切り離し可能に形成した。
【０００９】
【発明の実施の形態】
先ず、図１から図５が示す第１実施形態について説明すると、１は連結板であり、該連結板は、同一形状，同一大きさに形成した平板状の小容器体用嵌合部2,2 を長板状基部３の後面から等間隔に複数突出し、又それ等嵌合部2, 2の左右方向中間に後方解放の係合溝部４を穿設すると共に、図２が示すように、該係合溝部の左右両側縁中間に小凹部4a, 4aを形成し、更に、上記嵌合部2, 2間の長板状基部３に前後方向への破断線５を形成して、左右両端の嵌合部2, 2を順次切り離すことができるよう形成している。該破断線は、省略してもよく、必要に応じて形成する。
【００１０】
６は小容器体であり、該小容器体は、主体７, 底蓋14および閉塞具17で形成され、主体７は、上下両端面開口の胴部８を有し、該胴部の下部前半に、図２が示すように、横断面形状を半円形とした嵌合取付け溝10を穿設して、該取付け溝の後面壁左右方向中間から係合板部11を前方突出すると共に、該係合板部の左右両側面中間に小突条11a, 11aを付設し、図３が示すように、その取付け溝10内へ上記嵌合部２, ２を着脱自在に嵌合させ、又これ等嵌合部の小凹部4a, 4a内へ上記小突条11a, 11aを係脱自在に係合させている。更に、上記取付け溝10後方の胴部分内面には、仕切り壁９を横設して、該仕切り壁上方の胴部分を錠剤収納室とし、又その仕切り壁９に通気孔12, 12を複数穿設し、これ等通気孔外方の仕切り壁部分下面から、図３が示すように乾燥剤押圧用の弾性片13, 13を斜め下内方へ複数突設している。
【００１１】
上記主体７の下面は、底蓋14で閉塞させるものとし、該底蓋は、底板15の周縁から筒部16を起立して、該筒部の外面を上記仕切り壁９下方の胴部分に凹凸の係止手段で嵌着させ、又その筒部16の下端外面に付設した外向きフランジ状壁の上面を胴部８下端へ係合させている。
【００１２】
上記主体７の上面は、閉塞具17で開閉可能に閉塞させるものとし、該閉塞具は、本体18と蓋体21とからなり、本体18は、基筒部19の下部外面を上記胴部８の上部に嵌着させると共に、その基筒部19の中間部外面に付設した外向きフランジ状壁20の下面を上記胴部８の上端へ係合させている。更に蓋体21は、頂板部22の下面中央部から筒状栓部23を垂設して、該筒状栓部の外面を上記基筒部19の上部へ着脱自在に嵌合させ、又図４が示すように、頂板部22の周縁後部から突設した連結紐24の下端を上記外向きフランジ状壁20の上面へ一体に結合させている。
【００１３】
25は、乾燥剤であり、該乾燥剤は、上記底蓋14内へ収容させて錠剤を取り出す際に邪魔とならないようにしている。
図示実施形態では、閉塞具17を本体18と蓋体21で形成したが、これに限らず、例えば、胴部８の上部外面に螺合させることが可能な筒状キャップを閉塞具とし、或いは胴部８の上部内面に着脱自在に嵌合させることが可能な筒状栓を閉塞具としてもよい。
【００１４】
第１実施形態では、小容器体６の取付け溝10後面壁に形成した係合板部11を、嵌合部2, 2の係合溝部４内へ嵌合させることによって、嵌合部2, 2が取付け溝10内から不用意に抜け出すことを阻止するよう形成したが、図６が示す実施形態のように、嵌合部2, 2の後面左右方向中間から係合板部11を後方突設し、又取付け溝10の後壁面左右方向中間に穿設した透孔周縁から後面閉塞の係合筒部26を後方突出して、該係合筒部内へ上記係合板部11を着脱自在に嵌合させるよう形成してもよい。この場合には、その係合筒部26の左右両側面中間に係合凹部26ａ, 26ａを、かつ上記係合板部11の左右両側面中間に小突条11a, 11aを、それぞれ形成し、係合筒部26内面へ係合板部11を嵌合させると、上記小突条11a, 11aが係合凹部26ａ, 26ａ内へ係脱自在に係合されるよう形成する。
【００１５】
図７から図１０が示す第３実施形態については、第１実施形態と相違する部分についてのみ説明し、構造が同じ部分は同一の符号を付して説明を省略する。小容器体６は、図８が示すように、胴部の仕切り壁９横設箇所外面を厚肉として、該厚肉部に取付け溝10を周設している。又連結板１は、図１０が示すように、長板状基部３の後面に等間隔に上面視Ｃ字形の嵌合部2, 2を複数付設し、これ等嵌合部の後部に、上記取付け溝10の径よりも短く開口部を穿設して嵌合部2, 2を拡開変形可能に形成し、かつ該構成とした嵌合部2, 2を上記取付け溝10内へ着脱自在に嵌合させる。 尚、連結板１, 小容器体６等の各部品は、合成樹脂材でそれぞれ一体成形する。
【００１６】
【発明の効果】
本発明は上記構成とするもので、請求項１記載の発明の場合は、同一形状，同一大きさの嵌合部2, 2を長板状基部３の後面に等間隔に複数形成し、又胴部８の下部内面に仕切り壁９を横設して、この胴部の仕切り壁横設箇所外面に嵌合部取付け溝10を穿設して、各小容器体の取付け溝10内へ嵌合部2, 2をそれぞれ着脱自在に嵌合させたから、複数の小容器体６を一体的に扱うことができて、その一つを紛失することを防止でき、又取付け溝10内から嵌合部2, 2を抜き出すことができるから、必要に応じて小容器体６を個別に携帯することができる。
【００１７】
請求項２記載の発明の場合は、請求項１記載の発明の効果を有し、かつ長板状基部３の後面から小間隙をおいて後方へ板状に複数突出した嵌合部2, 2を、胴部の仕切り壁10横設箇所外面に穿設した取付け溝10内へ嵌合させ、又嵌合部2, 2の左右方向中間に穿設した後方解放の係合溝部４内へ、取付け溝10の後壁面左右方向中間から前方突出する係合板部11を着脱自在に嵌合させたから、連結板１と小容器体６を確実に結合させることができて、小容器体６が不用意に抜け落ちることを阻止でき、又取付け溝10内から嵌合部2, 2を引き抜くことで、小容器体６を連結板１から簡単に取り外すことができる。
【００１８】
請求項３記載の発明の場合は、請求項１記載の発明の効果を有し、又長板状基部３の後面から小間隙をおいて後方へ板状に複数突出した嵌合部2, 2を、小容器体の胴部８前部に穿設した取付け溝10内へ嵌合させ、又嵌合部2, 2の後面左右方向中間から後方突出した係合板部11を、取付け溝10の後壁面左右方向中間から後方突出した係合筒部26内へ着脱自在に嵌合させたから、請求項２の発明と同様に、小容器体６が不用意に抜け落ちることを効果的に防止でき、かつ必要に応じて小容器体６を簡単に取り外すことができる。
【００１９】
請求項４記載の発明の場合は、請求項１記載の発明の効果を有し、かつ胴部の仕切り壁９横設箇所外面に取付け溝10を周設し、又長板状基部３後面に等間隔に複数付設した上面視Ｃ字形の嵌合部2, 2後部に、取付け溝10の径よりも短く開口部を穿設して嵌合部2, 2を拡開変形可能に形成し、かつこれ等嵌合部を取付け溝10内へ着脱自在に嵌合させたから、連結板１と小容器体６を確実に結合させることができ、小容器体６が不用意に抜け落ちることを阻止でき、又嵌合部2, 2を拡開変形させて取付け溝10内から引き抜くことで、小容器体６を連結板１から簡単に取り外すことができる。
【００２０】
請求項５記載の発明の場合は、請求項１から請求項４記載の発明の効果を有し、かつ嵌合部2, 2間の長板状基部３部分に前後方向への破断線５を形成して、嵌合部2, 2を切り離し可能に形成したから、破断線５を破断させて嵌合部2, 2を取り外す際、取付け溝10の外方へ突出する長板状基部３を摘み部として利用することができ、よって、取付け溝10内から嵌合部2, 2を容易に引き抜くことができる。
【図面の簡単な説明】
【図１】  本発明連結体の第１実施形態を示す縦断面図である。
【図２】  同実施形態の組み立て状態を説明する要部拡大截断面図である。
【図３】  同実施形態の要部拡大縦断面図である。
【図４】  同実施形態の小容器体の斜視図である。
【図５】  同実施形態の連結板の平面図である。
【図６】  本発明連結体の第２実施形態の組み立て状態を説明する要部拡大截
断面図である。
【図７】  本発明連結体の第３実施形態を示す縦断面図である。
【図８】  同実施形態の小容器体の要部拡大縦断面図である。
【図９】  同実施形態の小容器体の斜視図である。
【図１０】同実施形態の連結板の平面図である。
【符号の説明】
１…連結板  ６…小容器体
【図１】
0003805517.tif 000002
【図２】
0003805517.tif 000003
【図３】
0003805517.tif 000004
【図４】
0003805517.tif 000005
【図５】
0003805517.tif 000006
【図６】
0003805517.tif 000007
【図７】
0003805517.tif 000008
【図８】
0003805517.tif 000009
【図９】
0003805517.tif 000010
【図１０】
0003805517.tif 000011